(57)【特許請求の範囲】
【請求項１】
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出部、
を備え、
前記制御値算出部は、
前記電力負荷において前記ピークカットレベルを超える分の電力量が放電指令最大値による前記蓄電池の放電量よりも大きなピーク時間帯においては、前記ピークカットレベルを、前記ピーク時間帯の電力負荷から前記放電指令最大値を減算した値に変更し、
前記ピーク時間帯のピークカットレベルの値が変更されたことによる蓄電池の余剰の電力量を、前記ピーク時間帯以外の時間帯に配分した電力量を算出し、前記ピーク時間帯以外の前記ピークカットレベルを、配分された前記電力量を減算した値に変更する、
電力制御値算出装置。
【請求項２】
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出部、
を備え、
前記制御値算出部は、算出された前記ピークカットレベルが商用電源の最低受電量よりも低い場合は、前記ピークカットレベルを前記最低受電量とする、
電力制御値算出装置。
【請求項３】
前記制御値算出部は、前記ピークカットレベルが前記蓄電池からの放電又は充電が可能な時間帯における電力負荷の平均の値よりも小さい場合、前記ピークカットレベルを前記平均の値とする、
請求項１又は請求項２に記載の電力制御値算出装置。
【請求項４】
前記制御値算出部は、
蓄電池からの放電が可能な時間帯における時系列の電力負荷に対して、電力負荷が高い順に順位を付与する順位付与部と、
前記順位が高い順に電力負荷を選択し、選択された順位以上の電力負荷のそれぞれと、選択された電力負荷よりも１つ低い電力負荷との差分の合計を算出する処理を繰り返し、前記合計が前記蓄電池の容量を超えたときの前記合計と前記蓄電池の容量との差分を、前記合計が前記蓄電池の容量を超えたときに選択されていた順位以上の電力負荷の数に配分し、選択されていた前記順位よりも１つ低い順位の電力負荷に、配分された電力負荷を加えてピークカットレベルの値を算出する算出部と、
を備える請求項１から請求項３のいずれか一項に記載の電力制御値算出装置。
【請求項５】
電力制御値算出装置が実行する電力制御値算出方法であって、
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出ステップと、
前記電力負荷において前記ピークカットレベルを超える分の電力量が放電指令最大値による前記蓄電池の放電量よりも大きなピーク時間帯においては、前記ピークカットレベルを、前記ピーク時間帯の電力負荷から前記放電指令最大値を減算した値に変更する第一変更ステップと、
前記ピーク時間帯のピークカットレベルの値が変更されたことによる蓄電池の余剰の電力量を、前記ピーク時間帯以外の時間帯に配分した電力量を算出し、前記ピーク時間帯以外の前記ピークカットレベルを、配分された前記電力量を減算した値に変更する第二変更ステップと、
を有する電力制御値算出方法。
【請求項６】
電力制御値算出装置が実行する電力制御値算出方法であって、
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出ステップと、
算出された前記ピークカットレベルが商用電源の最低受電量よりも低い場合は、前記ピークカットレベルを前記最低受電量とする変更ステップと、
を有する電力制御値算出方法。
【請求項７】
コンピュータに、
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出ステップと、
前記電力負荷において前記ピークカットレベルを超える分の電力量が放電指令最大値による前記蓄電池の放電量よりも大きなピーク時間帯においては、前記ピークカットレベルを、前記ピーク時間帯の電力負荷から前記放電指令最大値を減算した値に変更する第一変更ステップと、
前記ピーク時間帯のピークカットレベルの値が変更されたことによる蓄電池の余剰の電力量を、前記ピーク時間帯以外の時間帯に配分した電力量を算出し、前記ピーク時間帯以外の前記ピークカットレベルを、配分された前記電力量を減算した値に変更する第二変更ステップと、
を実行させるためのプログラム。
【請求項８】
コンピュータに、
商用電源の受電量の上限であるピークカットレベルの値を、蓄電池からの放電が可能な時間帯の時系列の電力負荷においてピークカットレベルを超える分の電力量が蓄電池の容量を超えないように算出する制御値算出ステップと、
算出された前記ピークカットレベルが商用電源の最低受電量よりも低い場合は、前記ピークカットレベルを前記最低受電量とする変更ステップと、
を実行させるためのプログラム。
【発明の詳細な説明】
【技術分野】
【０００１】
本発明の実施形態は、電力制御値算出装置、電力制御値算出方法及びプログラムに関する。
【背景技術】
【０００２】
蓄電池の導入により、受電電力のピークカットが可能となってきている。ピークカットを行うには、電力使用量が少ない時間帯に蓄電池を充電しておき、電力使用量がピークとなる時間帯に蓄電池を放電する。これにより、電力使用量のピークを低減させることができる。また、安価な深夜電気料金の時間帯に蓄電池を充電し、電気料金の高い昼間に放電させて、電気料金の総額を削減することもできる。
【０００３】
ピークカットを行う際は、受電電力の目標値であるピークカットレベルをキープできる十分な容量及び放電能力（電力）を備えた蓄電池が必要である。そのため、ピークカットレベルを適切に設定しないと、蓄電池の導入コストが高くなる場合や、蓄電池の容量及び放電能力（電力）を有効に活用しきれない場合があった。
【先行技術文献】
【特許文献】
【０００４】
【特許文献１】特開２０１４−７９０９８号公報
【発明の概要】
【発明が解決しようとする課題】
【０００５】
本発明が解決しようとする課題は、蓄電池を有効に活用して受電電力のピークカットをするためのピークカットレベルを算出することができる電力制御値算出装置、電力制御値算出方法及びプログラムを提供することである。
【課題を解決するための手段】
【０００６】
実施形態の電力制御値算出装置は、制御値算出部を持つ。制御値算出部は、商用電源の受電量の上限であるピークカットレベルの値を、蓄電池からの放電が可能な時間帯の時系列の電力負荷においてピークカットレベルを超える分の電力量が蓄電池の容量を超えないように算出する。前記制御値算出部は、前記電力負荷において前記ピークカットレベルを超える分の電力量が放電指令最大値による前記蓄電池の放電量よりも大きなピーク時間帯においては、前記ピークカットレベルを、前記ピーク時間帯の電力負荷から前記放電指令最大値を減算した値に変更し、前記ピーク時間帯のピークカットレベルの値が変更されたことによる蓄電池の余剰の電力量を、前記ピーク時間帯以外の時間帯に配分した電力量を算出し、前記ピーク時間帯以外の前記ピークカットレベルを、配分された前記電力量を減算した値に変更する。
【図面の簡単な説明】
【０００７】
【図１】実施形態の電力制御システムの構成図。
【図２】電力制御値算出装置の構成を示す機能ブロック図。
【図３】ピークカットレベルの計算方法を説明するための図。
【図４】ピークカットレベルの計算方法を説明するための図。
【図５】ピークカットレベルの調整方法を説明するための図。
【図６】ピークカットレベルの調整方法を説明するための図。
【図７】電力制御値算出装置の動作を示すフロー図。
【図８】電力制御画面の表示例を示す図。
【発明を実施するための形態】
【０００８】
以下、実施形態の電力制御値算出装置、電力制御値算出方法及びプログラムを、図面を参照して説明する。
【０００９】
（第１の実施形態）
図１は、電力制御システム１００の構成図である。電力制御システム１００は、電力制御値算出装置１と、電力制御装置２と、受電設備３と、変換器４と、蓄電池５と、機器６と、管理用端末７とを備える。受電設備３と、変換器４と、蓄電池５と、機器６とは、電力制御装置２による電力制御対象を構成する。電力制御値算出装置１は、電力制御装置２が電力制御対象を制御するための制御値を算出する。電力制御装置２は、電力制御値算出装置１が算出した制御値を用いて、受電設備３による商用電源の受電と、蓄電池５の充電及び放電とを制御する。受電設備３は、商用電源を受電し、施設内に供給する。変換器４は、蓄電池５の充電時、受電設備３が受電した電力を交流から直流に変換し、蓄電池５に供給する。また、変換器４は、蓄電池５の放電時、蓄電池５が放電した電力を直流から交流に変換し、機器６に供給する。機器６は、商用電源又は蓄電池５から電力の供給を受け、動作する。管理用端末７は、管理者が使用する端末である。
【００１０】
図２は、電力制御値算出装置１の構成を示す機能ブロック図であり、本実施形態と関係する機能ブロックのみを抽出して示してある。同図に示す電力制御値算出装置１は、記憶部１１と、受信部１２と、予測部１３と、制御値算出部１４と、出力部１５と、画面制御部１６とを備える。
【００１１】
記憶部１１は、各種データを記憶する。記憶部１１は、蓄電池５が蓄電可能な最大容量と、蓄電池５の放電時間帯、充電時間帯、充放電時間帯及びリセット時間帯と、蓄電池５に対する放電指令最大値と、商用電源の最低受電量との情報を記憶する。放電時間帯は、蓄電池５が放電のみ可能な時間帯である。充電時間帯は、蓄電池５が充電のみ可能な時間帯である。放充電時間帯は、蓄電池５が放電も充電も可能な時間帯である。リセット時間帯は、蓄電池５が放電も充電も行わない時間帯である。
【００１２】
受信部１２は、機器６に供給された電力や、蓄電池５が充電又は放電した電力などの各種の計測値を、電力制御対象に備えられた図示しない計測器から受信し、記憶部１１に書き込む。予測部１３は、記憶部１１に記憶される計測値や、外部から取得した各種の情報に基づいて、１日の時系列（例えば、３０分ごと、１時間ごとなど）の電力負荷を予測する。電力負荷は、機器６が消費する電力量である。
【００１３】
制御値算出部１４は、蓄電池５からの放電が可能な時間帯について算出された時系列の電力負荷のそれぞれにおいてピークカットレベルを超える分の電力量の合計が、蓄電池５の容量を超えないように、ピークカットレベルの値を決定する。ピークカットレベルは、ピーク負荷を削減する目標値であるとともに、蓄電池５の充電時に商用電源から受電する上限の電力（受電量制限値）である。ピークカットレベルを超える電力は、蓄電池５からの放電により賄う。制御値算出部１４は、順位付与部１４１と、算出部１４２とを備える。
【００１４】
順位付与部１４１は、蓄電池５からの放電が可能な時間帯における予測された時系列の電力負荷に対して、電力負荷が高い順に順位を付与する。
算出部１４２は、順位付与部１４１が付与した順位が高い順に電力負荷を選択し、選択された電力負荷以上の順位の電力負荷のそれぞれと、選択された電力負荷よりも１つ低い順位の電力負荷との差分の合計を算出する処理を繰り返す。算出部１４２は、算出した合計が蓄電池５の容量を超えたときのその合計と蓄電池５の容量との差分を、そのときに選択されていた順位以上の電力負荷の数に配分する。算出部１４２は、算出した合計が蓄電池５の容量を超えたときに選択されていた順位よりも１つ低い順位の電力負荷に、配分した差分を加えて得られる電力負荷に基づき、ピークカットレベルを算出する。
【００１５】
出力部１５は、商用電源から受電と、蓄電池５の充電及び放電とを制御する電力制御装置２に対して、算出したピークカットレベルを制御値として通知する。電力制御装置２は、受信したピークカットレベルに基づいて、商用電源から受電する電力や、蓄電池５が充電又は給電する電力を制御する。
【００１６】
画面制御部１６は、電力制御に関する画面を表示させる画面データを生成し、管理用端末７に送信する。管理用端末７は、受信した画面データに基づいて電力制御に関する画面をディスプレイに表示する。
【００１７】
図３は、ピークカットレベルの計算方法を説明するための図である。同図では、電力制御値算出装置１の予測部１３が予測した１日の時系列の電力負荷のうち、放電が可能な時間帯の電力負荷を高い順にならべている。制御値算出部１４は、蓄電池５が満充電状態であることを前提に、電力負荷が高い方から順に、蓄電池５に充電された電力量を割り当てることでピークカットレベルの値を求める。制御値算出部１４は、１日の内、ピークカット対象となる電力負荷を、放電可能な時間帯（放）、または、充放電が可能な時間帯（放充）の電力負荷とし、充電のみが可能な時間帯やリセット時間帯の電力負荷はピークカットの対象外とする。
【００１８】
順位がｉ番目（ｉは１以上の整数）の電力負荷をｗｉと記載する。算出部１４２は、順位が高い順に電力負荷ｗｉを選択する。算出部１４２は、選択した順位ｉ以上の電力負荷ｗ１~ｗｉのそれぞれにおいて、順位ｉの次の順位（ｉ＋１）の電力負荷ｗｉ＋１を超える電力量の合計Ｄを求め、求めた合計Ｄが蓄電池５で賄えるか否かを判定する。算出部１４２は、この判定を繰り返し、蓄電池５の最大容量Ｃまで負荷に割り当て、ピークカットレベルの値を求める。
【００１９】
具体的には、まず、算出部１４２は、最も高い順位の電力負荷ｗ１を選択し、電力負荷ｗ２との差分ａを算出する。電力負荷ｗ１の時間帯は１つだけであるので、合計Ｄ＝差分ａとなる。算出部１４２は、差分の合計Ｄが蓄電池５の最大容量Ｃ以下である場合、順位が２番の電力負荷ｗ２を選択する。
【００２０】
電力負荷ｗ２の時間帯は１つだけであるので、算出部１４２は、電力負荷ｗ１と電力負荷ｗ３との差分（ａ＋ｂ）、及び、電力負荷ｗ２と電力負荷ｗ３との差分ｂの合計Ｄ（＝ａ＋２ｂ）を算出する。算出部１４２は、差分の合計Ｄが蓄電池５の最大容量Ｃ以下である場合、順位が３番の電力負荷ｗ３を選択する。
【００２１】
電力負荷ｗ３の時間帯は２つある。そこで、算出部１４２は、電力負荷ｗ１と電力負荷ｗ４との差分（ａ＋ｂ＋ｃ）、電力負荷ｗ２と電力負荷ｗ４との差分（ｂ＋ｃ）、及び、電力負荷ｗ３と電力負荷ｗ４との差分ｃ×２の合計Ｄ（＝ａ＋２ｂ＋４ｃ）を算出する。算出部１４２は、差分の合計Ｄが蓄電池５の最大容量Ｃと同じである場合、ピークカットラインを電力負荷ｗ４とする。
あるいは、差分の合計Ｄが蓄電池５の最大容量Ｃを超えた場合、算出部１４２は、超えた分の電力量（Ｄ−Ｃ）を現在の順位以上の４つの時間帯に均等配分する。算出部１４２は、ピークカットラインを、均等配分された電力量を電力負荷ｗ４に加算した値とする。
算出部１４２は、最終的に得られたピークカットラインが表す電力値を、ピークカットレベルとする。
【００２２】
図４は、ピークカットレベルを超える電力負荷を蓄電池５から供給できない時間帯がある場合のピークカットレベルの計算方法を説明するための図である。
同図では、図３と同様にピークカットレベルが求められる。しかし、ピークカットレベルを超える電力負荷が、放電指令最大値により蓄電池５から放電される電力で賄える電力量よりも大きい時間帯（以下、「ピーク時間帯」と記載する。）がある。そこで、このピーク時間帯については、そのピーク時間帯の電力負荷の値から放電指令最大値を減算した値をピークカットレベルとする。電力負荷が突出したピーク時間帯があると、他の負荷時間帯での放電が行われなくなる。そこで、算出部１４２は、ピークカットレベルとして、図３で説明したアルゴリズムに基づく計算結果を採用し、放電指令割り当て時に放電指令最大値による蓄電池５からの放電量をオーバするピーク時間帯については、ピークカットレベルを上記のように放電指令最大値を用いて補正する。さらに、算出部１４２は、ピークカットレベルを放電指令最大値に補正したことによる余剰分の電力量を、ピーク時間帯以外の時間帯に配分する。算出部１４２は、ピーク時間帯以外の時間帯のピークカットレベルを、配分した電力量に対応した電力値を減算した値とする。以下では、放電が可能な時間帯の電力負荷を高い順に並べたとき、その電力負荷が予測される時間帯を順に、時間帯Ｔ１、Ｔ２、…とする。従って、時間帯Ｔ１、Ｔ２、…の並びは時刻順ではない。
【００２３】
例えば、図４において、図３と同様にピークカットレベルを求めた結果は、ピークカットラインＬ１１により表される電力値である。また、負荷時間帯Ｔ１の電力負荷ｗ１は、ピークカットラインＬ１１との差分が放電指令最大値よりも大きい突出したピーク時間帯の電力負荷である。以下では、このようなピーク時間帯の電力負荷を、ピーク負荷と記載する。負荷時間帯Ｔ１においては、放電指令最大値により蓄電池５からの放電を行った場合でも、削減可能な電力量はラインＬ１２を超える分までである。この場合、ラインＬ１１を超える負荷時間帯Ｔ１の電力量（ａ＋ｂ＋ｃ）から、放電指令最大値による蓄電池５からの放電で賄える電力量を減算した電力量ｄが残るため、他の負荷を削減しても平準化はできない。
【００２４】
平準化の考え方からすると、ラインＬ１１がピークカットラインとなる。しかし、蓄電池５の有効活用を優先し、算出部１４２は、蓄電容量を電力負荷に割り当てた後、蓄電池５の残蓄電量がある場合は負荷配分を継続して行う。同図の場合、算出部１４２は、時間帯Ｔ１においては蓄電池５からの放電量を放電指令最大値とし、ピークカットラインを、電力負荷ｗ１から放電指令最大値を減算したラインＬ１２とする。さらに、算出部１４２は、電力量ｄを時間帯Ｔ２〜Ｔ５の４つの時間帯に分配する。つまり、算出部１４２は、ラインＬ１１から電力量ｄ／４を減算してラインＬ１３を求め、このラインＬ１３を、ピーク負荷が得られた時間帯Ｔ１以外の時間帯のピークカットラインとする。算出部１４２は、時間帯Ｔ１のピークカットレベルをラインＬ１２の電力値とし、時間帯Ｔ１以外のピークカットレベルをラインＬ１３の電力値とする。このようにして、算出部１４２は、蓄電池５の全ての容量を配分して得られるピークカットレベルを採用する。
【００２５】
図５は、ピークカットレベルが最低受電量以下となる場合のピークカットレベルの調整方法を説明するための図である。同図では、電力制御値算出装置１の予測部１３が予測した１日の電力負荷を時刻順に並べている。
図３と同様にピークカットレベルを求めた結果、蓄電池５の蓄電容量を全て負荷に配分しても残蓄電量が有る場合には、ピークカットレベルの値が「０」となることが想定される。例えば、図３と同様の計算により求めたピークカットレベルが、商用電源の最低受電量（例えば、デフォルトで「２０ｋＷ」とする）以下の場合、算出部１４２は、最低受電量をピークカットレベルに採用する。これにより、放電による逆潮を防止する。同図に示すピークカットラインは、最低受電量に対応する。
【００２６】
図６は、ピークカットラインが１日の電力負荷の平均以下となる場合のピークカットレベルの調整方法を説明するための図である。同図では、電力制御値算出装置１の予測部１３が予測した１日の電力負荷を時刻順に並べている。ラインＬ２１は、図３と同様の計算により蓄電容量をピーク時間帯に割り付けた場合のピークカットラインを示し、ラインＬ２２は、リセット時間帯を除く１日の電力負荷の平均値を示す。
【００２７】
算出部１４２は、リセット時間帯を除く１日の全時間帯の電力負荷の平均を計算する。算出部１４２は、計算された平均値（ラインＬ２２）が図３と同様の計算により求めたピークカットライン（ラインＬ２１）より高い場合、１日の電力負荷が全体的に低いか、平準化された電力負荷であることが想定される。これは、放電、または、充放電時間帯の電力負荷を元にピークカットラインを算出しているためである。このような場合、ピーク負荷を賄うための十分な充電時間が無いことが想定される。
【００２８】
負荷平準化という意味では、ラインＬ２１がピークカットラインになる。しかし、ラインＬ２１をピークカットラインとした場合、充電時間帯が確保できないため、結果として、放電に要する蓄電もできない。これは、平準化を前提とすると、ピークカットラインが充電時の受電量制限ラインとなるためである。
【００２９】
算出部１４２は、ピークカットラインが１日の電力負荷の平均より下回った場合は、図３と同様の計算により求めたピークカットライン（ラインＬ２１）、電力負荷の平均（ラインＬ２２）のいずれの電力値をピークカットレベルに採用するかを、予め登録されている負荷平均適用有無の設定値に従って選択する。
【００３０】
負荷平準化を優先する場合、負荷平均適用有が設定される。算出部１４２は、ピークカットレベルを、電力負荷の平均（=受電量制限値）を表すラインＬ２２の電力値とする。換言すれば、算出部１４２は、ピークカットレベルが、１日の電力負荷の平均に対応した電力値よりも小さい場合、ピークカットレベルを、その１日の電力負荷の平均に対応した値とする。この場合は、電力負荷が負荷平均より低い時間帯で充電し、電力負荷が負荷平均よりも高い時間帯で放電することが可能になるため、負荷の平準化を図ることができる。ただし、負荷が出ている時間帯以前に平均以下の負荷が存在しない場合、平準化は行えない。
【００３１】
負荷配分ピークカットレベルを採用する場合、負荷平均適用なしが設定される。算出部１４２は、ピークカットレベルをラインＬ２１の電力値とする。ピークカットレベルを計算する対象の時間帯が放電時間帯、もしくは、充放電時間帯であるため、計算結果のピークカットレベルは充電時間帯の負荷より低くなる可能性が高い。その場合、ほとんど充電が出来ず、０：００の残蓄電量を元にピーク負荷を割り振る結果となる。この場合はピークカットが十分できない可能性がある。
上記のいずれの場合も、受電量制限値のデフォルトは、採用したピークカットレベルと同じ値になる。
【００３２】
負荷平準化からは外れるが、どちらも受電量制限値補正を行うことで、削減対象負荷を夜間電力時間帯にシフトすることが可能である。
【００３３】
なお、予測された電力負荷が異常値である場合は、算出部１４２は、以下の式（１）によりピークカットレベルを算出するが、ピークカット計画は行わない。
【００３４】
ピークカットレベル=契約電力［ｋＷ］（設定値）×受電制限率（％）×（電力負荷予測の予測単位時間／１時間）      …（１）
【００３５】
例えば、予測部１３が３０分毎の電力負荷を予測する場合、式（１）における電力負荷の予測単位時間は０．５となる。
【００３６】
なお、負荷予測が異常であり、電力負荷の予測結果が無い、もしくは、予測された電力負荷全てが“０”の場合は、受電電力の削減対象（ピークカット対象）となる電力負荷が無いことになる。この場合、算出部１４２は、電力負荷の予測値を“０”として諸々の計算を行う。また、算出部１４２は、ピークカットレベルを上記の式（１）とし、ピークカット計画は行わない。ただし、翌日負荷対応や蓄電池５の充電運用を前提に、蓄電池５の充電計画のみ作成する。
【００３７】
また、記憶部１１に記憶される充放電時間帯設定情報が、放電時間帯なしを示す場合、意図的に放電を行わないことを意味する。算出部１４２は、充放電時間帯であれば放電は可能であるが、休日等、意図的に放電をしない日の対応として１日の内、一切「放電」の設定が無い場合、充電計画のみを作成する。この場合、算出部１４２は、ピークカットレベルを上述した式（１）により算出するが、ピークカット計画は行わない。
【００３８】
図７は、電力制御値算出装置１の動作を示すフロー図である。
予測部１３は、任意の従来技術によって、１日の時系列（例えば、３０分毎）の電力負荷を予測する（ステップＳ１０）。順位付与部１４１は、蓄電池５からの放電が可能な時間帯における予測された時系列の電力負荷に対して、電力負荷が高い順に順位を付与する（ステップＳ１５）。
【００３９】
算出部１４２は、順位を表す変数ｉに初期値１を設定する（ステップＳ２０）。算出部１４２は、ピークカットラインＬに順位（ｉ＋１）の電力負荷ｗｉ＋１を設定する（ステップＳ２５）。
【００４０】
算出部１４２は、順位ｉ以上の電力負荷ｗ１~ｗｉのそれぞれについて、ピークカットラインＬを超える電力量を求め、求めた電力量の合計Ｄを算出する（ステップＳ３０）。算出部１４２は、合計Ｄと蓄電池５の蓄電容量Ｃとを比較する（ステップＳ３５）。算出部１４２は、合計Ｄが蓄電池５の蓄電容量Ｃを超えていないと判断した場合（ステップＳ３５：＜）、変数ｉに１を加算し（ステップＳ４０）、ステップＳ２５からの処理を繰り返す。
【００４１】
算出部１４２は、合計Ｄが蓄電池５の蓄電容量Ｃと等しいと判断した場合（ステップＳ３５：＝）、ステップＳ５０の処理を行う。
算出部１４２は、合計Ｄが蓄電池５の蓄電容量Ｃを超えたと判断した場合（ステップＳ３５：＞）、合計Ｄから蓄電池５の蓄電容量Ｃを減算し、不足容量を算出する。算出部１４２は、不足容量を順位ｉまでの電力負荷の個数により除算する。算出部１４２は、ピークカットラインＬの値を、除算結果を加算した値に更新し（ステップＳ４５）、ステップＳ５０の処理を行う。
【００４２】
算出部１４２は、放電が可能な時間帯における電力負荷のうち、ピークカットラインＬと蓄電池５の放電指令最大値との合計を超えているピーク負荷があるか否かを判断する（ステップＳ５０）。算出部１４２は、ピーク負荷がないと判断した場合（ステップＳ５０：ＮＯ）、ステップＳ６５の処理を行う。
【００４３】
算出部１４２は、ピーク負荷があると判断した場合（ステップＳ５０：ＹＥＳ）、ピーク負荷が得られた時間帯（ピーク時間帯）のピークカットラインＬを、その時間帯のピーク電力負荷から放電指令最大値を減算した値とする（ステップＳ５５）。算出部１４２は、各ピーク時間帯のピーク負荷から、そのピーク時間帯のピークカットラインＬを減算した結果を合計した蓄電池残容量を算出する。算出部１４２は、順位（ｉ＋１）までの電力負荷の個数からピーク負荷の個数を減算した数により蓄電池残容量を除算し、蓄電池残容量の配分量を算出する。算出部１４２は、ピークカットラインＬから蓄電池残容量の配分量を減算し、ピーク時間帯以外の時間帯のピークカットラインＬとする（ステップＳ６０）。
【００４４】
ステップＳ５０でＮＯと判断した場合又はステップＳ６０の後、算出部１４２は、ピークカットラインＬが最低受電量以上であるか否かを判定する（ステップＳ６５）。算出部１４２は、ピークカットラインＬが最低受電量以上であると判定した場合（ステップＳ６５：ＹＥＳ）、ステップＳ７５の処理を行う。算出部１４２は、ピークカットラインＬが最低受電量より小さいと判定した場合（ステップＳ６５：ＮＯ）、ピークカットラインＬを最低受電量に変更し（ステップＳ７０）、ステップＳ７５の処理を行う。
【００４５】
算出部１４２は、リセット時間帯を除く、1日の全時間帯の予測の電力負荷の平均を算出する（ステップＳ７５）。算出部１４２は、ピークカットラインＬが電力負荷の平均以上であるか否かを判断する（ステップＳ８０）。算出部１４２は、ピークカットラインＬが電力負荷の平均を超えていると判断した場合（ステップＳ８０：ＹＥＳ）、出力部１５は、ピークカットラインＬが表す電力値をピークカットの目標値であるピークカットレベルとして電力制御装置２に出力する（ステップＳ８５）。
【００４６】
算出部１４２は、ピークカットラインＬが電力負荷の平均を下回ると判断した場合（ステップＳ８０：ＮＯ）、負荷平均適用有無の設定値を記憶部１１から読み出す。算出部１４２は、設定値が負荷平均適用なしと判断した場合（ステップＳ９０：なし）、ピークカットラインＬが表す電力値をピークカットレベルとして電力制御装置２に出力する（ステップＳ８５）。算出部１４２は、設定値が負荷平均適用なしであると判断した場合（ステップＳ９０：あり）、ピークカットラインＬを電力負荷の平均値に変更する（ステップＳ９５）。出力部１５は、ピークカットラインＬが表す電力値をピークカットレベルとして電力制御装置２に出力する（ステップＳ８５）。
【００４７】
図８は、電力制御画面の表示例を示す図である。同図に示す電力制御画面では、予測の時系列の電力負荷と、実測された電力負荷と、実測された電力負荷のうち商用電源から供給された電力負荷及び蓄電池５により供給された電力負荷とをグラフに表示する。電力制御値算出装置１は、実測の電力負荷を受電設備３に備えられた図示しない計測器から受信し、蓄電池５により供給された電力量を変換器４又は蓄電池５に備えられた図示しない計測器から受信する。さらに、電力制御画面には、ピークカットレベルを表すピークカットラインと、最低受電量とが表示される。
【００４８】
蓄電池の容量や日々の負荷を考慮せずに、ピークカットレベルを人手で設定した場合、実際に運用してみないと、ピークカットの目標の達成可否や余剰が出るか否かは分からなかった。その結果、蓄電池の容量を有効活用できていないこともあった。また、日々の負荷予測をしていても、その内どの程度まで蓄電池でピークをカットできるかを判断することは容易ではなく、蓄電池以外での電力削減の要否の判断も困難であった。
【００４９】
上述したいずれかの実施形態の電力制御値算出装置によれば、電力負荷の予測値と蓄電池の容量に合わせて、ピークカットレベルを自動的に算出する。これにより、電力制御値算出装置は、蓄電池の容量を有効活用した放電を可能とする制御値を算出する。更には、蓄電池制御装置は、蓄電池によりどの程度ピークカット可能かを示すことによって、消費電力の管理を容易とすることが出来る。例えば、電力削減施策を考える上で、日々の負荷予測に対して蓄電池でどの程度削減できるかが把握できるようになるため、電力の過不足文をどうすればよいかの対応施策を立てやすくなる。
また、蓄電池制御装置は、ピークカットレベルを時間帯毎に変更できるようにすることにより、突出したピーク時間帯がある場合にも、それ以外の時間帯で平準化を行える放電を可能とする。
また、電力負荷が平準化されると共に、更に電力削減を要する際に無理な電力削減を行わなくてよくなるという効果もある。
従って、必要以上に高い蓄電池の容量及び放電能力（電力）を持った蓄電池を導入することなく、電力使用量ピークの低減や、深夜電気料金適用による電気料金の削減が図ることができる。
【００５０】
以上説明した少なくともひとつの実施形態によれば、制御値算出部を持つことにより、蓄電池を有効に活用して受電電力のピークカットをするためのピークカットレベルを算出することができる。
【００５１】
上述した実施形態における電力制御値算出装置１の各部の機能をコンピュータで実現するようにしてもよく、ＬＳＩ等のハードウェア機能部であってもよい。電力制御値算出装置１の各部の機能をコンピュータで実現する場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…電力制御値算出装置、２…電力制御装置、３…受電設備、４…変換器、５…蓄電池、６…機器、７…管理用端末、１１…記憶部、１２…受信部、１３…予測部、１４…制御値算出部、１５…出力部、１６…画面制御部、１４１…順位付与部、１４２…算出部
【図１】
0006567443.tif 000002
【図２】
0006567443.tif 000003
【図３】
0006567443.tif 000004
【図４】
0006567443.tif 000005
【図５】
0006567443.tif 000006
【図６】
0006567443.tif 000007
【図７】
0006567443.tif 000008
【図８】
0006567443.tif 000009